(57)【要約】【課題】着席してくつろいだ状態のままでも、使用者の好みの姿勢に応じた姿勢や位置に、スムーズ、且つ、容易に変更して脚を載せることができるオットマンの提供を目的とする。【解決手段】脚載せ部１１と、設置面Ｆに接地して該脚載せ部１１を支持する支持部１２とを備えたオットマン１０であって、上記支持部１２における接地部分１５に、設置面Ｆ側へ突出する形状に湾曲した弧形状部１３を形成し、上記弧形状部１３を、上記脚載せ部１１に付与される載荷重に基いて上記接地部分１５の弧形状方向Ｌ１に沿って設置面Ｆに接地する接地箇所１５Ａが移動する構成とした。【選択図】図３
2010057853.tif 000002
【特許請求の範囲】
【請求項１】
脚載せ部と、設置面に接地して該脚載せ部を支持する支持部とを備えたオットマンであって、
上記支持部における接地部分に、設置面側へ突出する形状に湾曲した弧形状部を形成し、
上記弧形状部を、上記脚載せ部に付与される載荷重に基いて上記接地部分の弧形状方向に沿って設置面に接地する接地箇所が移動する構成とした
オットマン。
【請求項２】
上記弧形状部を、上記支持部の長さ方向の端部側が立ち上がる弧形状で形成し、
上記脚載せ部を、上記支持部の長さ方向の端部側に有する立上がり部に備えた
請求項１に記載のオットマン。
【請求項３】
上記弧形状部を、上記立上がり部が長さ方向の中央側へ反り返る反り返り姿勢となる弧形状で構成し、
上記脚載せ部を、該脚載せ部の載置面が上方向に対して上記支持部の長さ方向の中央側に傾斜した傾斜姿勢で構成した
請求項２に記載のオットマン。
【請求項４】
上記立上がり部を、上記支持部の長さ方向の両側にそれぞれ構成し、
上記脚載せ部を、第一脚載せ部と第二脚載せ部とで構成し、
上記第一脚載せ部を、上記支持部の長さ方向の一方の側の上記立上がり部に備え、
上記第二脚載せ部を、上記支持部の長さ方向の他方の側の上記立上がり部に備えた
請求項２、又は、３に記載のオットマン。
【請求項５】
上記第一脚載せ部を、ふくらはぎ部分を載置可能に構成し、
上記第二脚載せ部を、上記第一脚載せ部にふくらはぎ部分を載置した脚の足裏部分を載置可能に構成した
請求項４に記載のオットマン。
【請求項６】
上記弧形状部を、長さ方向の中央側に備えた中央弧形状部と、該中央弧形状部に対して長さ方向の外側に備えた外側弧形状部とで構成し、
上記外側弧形状部を、上記中央弧形状部の曲率半径より小さな曲率半径の弧形状で形成した
請求項１から５のいずれかに記載のオットマン。
【発明の詳細な説明】
【技術分野】
【０００１】
この発明は、椅子やソファーの前方に置き、脚を載せるオットマン（脚載せ台）に関し、詳しくは、脚を載せる部分の高さや姿勢を変更して用いることができるオットマンに関する。
【背景技術】
【０００２】
椅子に座り続けて脚を同じ姿勢を維持すると、脚に血が溜まり、血行が低下したり、疲れるため、椅子の前方に置き、脚を載せることができるオットマンが従来より用いられている。オットマンに脚を載せることで、脚を高い位置に保つことができ、脚を伸ばすこともできる。
【０００３】
しかし、一般に普及しているオットマンは、脚を載せる位置が一定の高さ、姿勢に限られるものが多く、脚の姿勢を動かそうとしても、脚の姿勢に応じた形に変更することができないため、脚を常に快適な姿勢で支えることができなかった。
【０００４】
このような背景に対して、下記特許文献１には、脚載せ部分の位置や姿勢を容易に変更して用いることができる「変形可能な足乗せ台」が開示されている。
【０００５】
上記「変形可能な足乗せ台」は、２個の端部フレームを、例えば、ラチェットなどの回転可能な接続部材を介して主フレームに結合し、このフレーム体をクッション材で被覆して構成している。
【０００６】
この「変形可能な足乗せ台」は、接続部材を回転させ、主フレームと端部フレームの相対位置を変化させることで、足を乗せる部分の高さや姿勢を変更して用いるものである。その他にも、「変形可能な足乗せ台」は、全体を反転させたり、横に倒したりして足を乗せる部分の高さや姿勢を変更して用いることができるものである。
【０００７】
しかし、上記「変形可能な足乗せ台」は、上述したような全体を反転させたり、接続部材を回転するといった全体、又は、一部の姿勢変更は、いずれも手で行なうことを前提としている。
【０００８】
このように手で姿勢変更を必要があるため、使用者は、足乗せ部分の高さや位置を変更しようとする度に、椅子に座ってくつろいでいる状態から、上半身を起こし、上記「変形可能な足乗せ台」を所望の高さや姿勢に変更する手間を要し、面倒であった。
【０００９】
なお、上記「変形可能な足乗せ台」は、元々、手で姿勢変更を行なうことを前提として構成されたものであるため、仮に椅子に着席した状態で脚で、接続部材の全体、又は、一部の姿勢変更を行なおうとしても、普段使わない脚の筋肉を使うなどして、手で変更するより、かえって労力がかかるおそれもあった。
【特許文献１】特開２００１−１１２５８１号公報
【発明の開示】
【発明が解決しようとする課題】
【００１０】
そこで、この発明は、着席してくつろいだ状態でも、使用者の好みの姿勢に応じた姿勢や位置に、スムーズ、且つ、容易に変更して脚を載せることができるオットマンの提供を目的とする。
【課題を解決するための手段】
【００１１】
本発明は、脚載せ部と、設置面に接地して該脚載せ部を支持する支持部とを備えたオットマンであって、上記支持部における接地部分に、設置面側へ突出する形状に湾曲した弧形状部を形成し、上記弧形状部を、上記脚載せ部に付与される載荷重に基いて上記接地部分の弧形状方向に沿って設置面に接地する接地箇所が移動する構成としたことを特徴とする。
【００１２】
ここで、上記脚載せ部に付与される載荷重とは、例えば、上記脚載せ部に脚などの身体部位を載せたときに該脚載せ部に付与される荷重の大きさや方向を示す。  
なお、脚載せ部に付与される荷重とは、身体部位を上記脚載せ部に載せたときに該身体部位の重量により加わる荷重や、使用者が力を加えて付与される荷重のいずれの荷重も含むものとする。
【００１３】
上記構成により、上記支持部には、上記弧形状部を備えているため、脚載せ部に載せた脚の膝を例えば、屈曲、又は、伸長させた姿勢に変更することにより、これら姿勢に応じて上記弧形状部が設置面上を転がり、上記脚載せ部に付与される載荷重に基いて上記接地部分の弧形状方向に沿って設置面に接地する接地箇所が移動するため、設置面に対する脚載せ部の傾斜姿勢を容易に変更することができる。
【００１４】
これにより、本発明のオットマンは、姿勢変更する際に、脚を脚載せ部に対して力を加えるだけで、上記弧形状部を設置面に転がすことができ、使用者は、適宜、椅子に着席して、くつろいだ姿勢のままでも、脚の姿勢を変更する動作に従って、オットマンを、脚を支持し易い姿勢に変更して用いることができる。
【００１５】
したがって、力のない子供や老人、女性であっても、椅子に着席した状態でスムーズ、且つ、容易に姿勢変更することができる。
【００１６】
さらにまた、使用者は、例えば、座席に座っている状態から上半身を起こし、オットマン自体を反転したり、横転させたりすることや、手で脚載せ部の姿勢を変更するといった、姿勢変更する際の煩わしさがないため、姿勢変更したい所望の姿勢に変更することが可能となり、常に快適な状態で用いることができる。
【００１７】
また、本発明のオットマンは、駆動源や該駆動源を用いて脚載せ部の姿勢変更を行なうための複雑な機構を備えて構成していないため、故障し難く、メンテナンスを行う手間が不要であり、コストも低減することができるため、広く普及を図ることができる。
【００１８】
この発明の態様として、上記弧形状部を、上記支持部の長さ方向の端部側が立ち上がる弧形状で形成し、上記脚載せ部を、上記支持部の長さ方向の端部側に有する立上がり部に備えることができる。
【００１９】
このように弧形状部を、上記支持部の長さ方向の端部側が立ち上がる弧形状で形成することで、脚載せ部をスムーズに傾けることができるため、使い勝手がよく好ましい。
【００２０】
さらに、上記脚載せ部を、支持部における立ち上がり部分に備えることで、該脚載せ部脚の取付け用の支柱といった部材を別途、支持部に設けずとも、脚を載せ易い高さに容易に備えることが可能となり、全体をシンプルな構成で構成することができる。
【００２１】
またこの発明の態様として、上記弧形状部を、上記立上がり部が長さ方向の中央側へ反り返る反り返り姿勢となる弧形状で構成し、上記脚載せ部を、該脚載せ部の載置面が上方向に対して上記支持部の長さ方向の中央側に傾斜した傾斜姿勢で構成することができる。
【００２２】
このように、上記弧形状部を、上記立上がり部分が長さ方向の中央側へ反り返る反り返り姿勢となる弧形状で構成することにより、該弧形状部がより湾曲した形状（小さな曲率半径）で形成することが可能となるため、設置面に対して少し転がすだけでも支持部は、傾き易くなる。よって、オットマンは、少ない力でも、脚載せ部の姿勢を効率的に変更させることができる。さらに、上記脚載せ部を、該脚載せ部の載置面が上方向に対して上記支持部の長さ方向の中央側に傾斜した傾斜姿勢で構成することにより、脚載せ部の載置面を、椅子に座った使用者の側へ傾けることができるため、使用者は、脚載せ部へ楽な姿勢で脚を載せることができる。
【００２３】
またこの発明の態様として、上記立上がり部を、上記支持部の長さ方向の両側にそれぞれ構成し、上記脚載せ部を、第一脚載せ部と第二脚載せ部とで構成し、上記第一脚載せ部を、上記支持部の長さ方向の一方の側の上記立上がり部に備え、上記第二脚載せ部を、上記支持部の長さ方向の他方の側の上記立上がり部に備えることができる。
【００２４】
上記構成により、使用者は、脚を上記第一脚載せ部と上記第二脚載せ部との双方に載置することができるため、脚をより広い面で支持することができ、安定して脚を載置することができるとともに、脚にかかる負荷を分散させることができる。
【００２５】
さらに、椅子の前方側へオットマンを接地したとき、オットマンにおける、上記第一脚載せ部、上記第二脚載せ部のいずれの側を、椅子に対向するよう接地させても、オットマンを使用することができる。
【００２６】
よって、オットマンの使用時に椅子に対する接地する方向を考慮することなく、使い勝手よく使用することができる。
【００２７】
またこの発明の態様として、上記第一脚載せ部を、ふくらはぎ部分を載置可能に構成し、上記第二脚載せ部を、上記第一脚載せ部にふくらはぎ部分を載置した脚の足裏部分を載置可能に構成することができる。
【００２８】
上記構成により、上記第一脚載せ部にふくらはぎ部分を載置するとともに、上記第二脚載せ部に足裏部分を載置して用いることができる。
【００２９】
これにより、上記第一脚載せ部と上記第二脚載せ部との双方で脚を保持することができるため、安定して脚を支持することができる。
【００３０】
よって、使用者は、支持部の姿勢を保つために意識的に脚に力を加えてバランスをとるといった余分な労力を必要とせずに、快適に使用することができる。
【００３１】
またこの発明の態様として、上記弧形状部を、長さ方向の中央側に備えた中央弧形状部と、該中央弧形状部に対して長さ方向の外側に備えた外側弧形状部とで構成し、上記外側弧形状部を、上記中央弧形状部の曲率半径より小さな曲率半径の弧形状で形成することができる。換言すると、上記外側弧形状部を、上記中央弧形状部の曲率より大きな曲率となる弧形状で形成することができる。
【００３２】
このように上記支持部を、上記中央弧状部と、該中央弧状部の曲率半径より小さな曲率半径の上記外側弧状部とで構成することにより、スムーズな姿勢変更と安定性との両方を兼ね備えることができる。
【００３３】
詳しくは、中央弧状部は、外側弧状部より曲率半径が大きいため、設置面に転がしたとき、緩やかに傾き、安定した姿勢変更が可能となる。一方、外側弧状部は、中央弧状部より曲率半径が小さいため、設置面に対して転がしたとき、一気に傾いてスムーズな姿勢変更を行なうことができる。
【００３４】
このため、本発明のオットマンは、傾けていない姿勢においては、支持部の中央側に有する中央弧状部が設置面に接地され、安定性を確保することができ、姿勢変更の際には、大きな曲率半径の中央弧状部から小さな曲率半径の外側央弧状部へと、設置面に接地する部分のスムーズな移動を実現することができるとともに、外側央弧状部が設置面に接地されときは、一気に傾いてスムーズな姿勢変更を実現することができる。
【発明の効果】
【００３５】
本発明により、着席してくつろいだ状態のままでも、使用者の好みの姿勢に応じた姿勢や位置に、スムーズ、且つ、容易に変更して脚を載せることができるオットマンを提供することができる。
【発明を実施するための最良の形態】
【００３６】
この発明の一実施形態を以下図面と共に説明する。  
本実施形態のオットマン１０は、図１、図２、図３に示すように形成している。  
図１（ａ）は、オットマン１０の正面図であり、図１（ｂ）は、オットマン１０の右側面図である。図２（ｃ）は、オットマン１０の平面図であり、図２（ｄ）は、オットマン１０の底面図である。
【００３７】
図３は、オットマン１０の使用状態を示す説明図であり、詳しくは、椅子Ｃの前方へ置き、椅子Ｃに着席した使用者の脚をオットマン１０に載せた状態を示し、オットマン１０の有する部分を一部拡大して示している。
【００３８】
ここで、以下では、図１（ａ）中のＷ方向をオットマン１０の幅方向Ｗとし、図１（ｂ）中のＬ方向をオットマン１０の長手方向Ｌとして説明する。  
上記オットマン１０は、椅子Ｃに着席した使用者が脚を載せる脚載せ部１１と、床面Ｆに接地され、上記脚載せ部１１を支持する支持部１２とを備えている。
【００３９】
上記支持部１２は、金属製のパイプで構成した一対の支持フレーム１２Ｆ，１２Ｆで構成し、該一対の支持フレーム１２Ｆのそれぞれは、幅方向Ｗの両側の各側に備えている。
【００４０】
上記一対の支持フレーム１２Ｆ，１２Ｆは、それぞれ同一形状で形成し、各支持フレーム１２Ｆは、側面視すると、倒位の略Ｃの字形状で構成し、該倒位の略Ｃの字形状の両端部側部分の曲率半径と比較して中央側部分の曲率半径が大きくなるよう構成している。
【００４１】
詳しくは、オットマン１０は、上記支持部１２における接地部分１５に、床面Ｆ側へ突出する形状に湾曲した弧形状部１３を形成し、上記弧形状部１３を、上記脚載せ部１１に付与される載荷重に基いて上記接地部分１５の弧形状方向Ｌ１に沿って床面Ｆに接地する接地箇所１５Ａが移動する構成としている。
【００４２】
なお、床面Ｆと接触する上記接地箇所１５Ａは、例えば、図３に示すように、側面視すると、上記接地部分１５のうち床面Ｆに対して点接触状態で接触した部分を示している。また、上記弧形状方向Ｌ１とは、弧形状部１３に沿った方向を示し、図１（ｂ）中に示すＬ１方向を示すものとする。
【００４３】
上記弧形状部１３は、上記接地部分１５の弧形状方向Ｌ１全体に亘って形成され、側面視すると長手方向Ｌの中央に備えた中央弧形状部１３Ａと、該中央弧形状部１３Ａの長手方向Ｌの両外側に備えた外側弧形状部１３Ｂとで構成している。
【００４４】
上記中央弧形状部１３Ａは、長手方向Ｌにおける略中央部分から両側に進むに連れ、緩やかに立ち上がる弓型形状に湾曲した弧形状で形成している。
【００４５】
上記外側弧形状部１３Ｂは、図１（ｂ）に示すように上記中央弧形状部１３Ａの曲率半径Ｒより小さな曲率半径ｒ、換言すると大きな曲率（１／ｒ）の弧形状で形成し、支持部１２の長さ方向Ｌ１の端部が、長手方向Ｌの外側から中央側へ斜め上方を向くよう反り返る形状に湾曲する弧形状で形成している。  
なお、中央弧形状部１３Ａは、例えば、曲率半径Ｒが４００ｍｍ（曲率（１／Ｒ）は、１／４００）の円弧形状で形成し、外側弧形状部１３Ｂは、例えば、曲率半径ｒが６０ｍｍ（曲率（１／ｒ）は、１／６０）の円弧形状で形成している。また、支持部１２の長さ方向Ｌ１とは、長尺状の支持部１２の形成方向に沿った方向であり、図１（ｂ）中のＬ１方向が示すように、上記接地部分１５において弧形状方向Ｌ１と一致する方向を示す。
【００４６】
支持部１２は、上述した中央弧形状部１３Ａ、及び、外側弧形状部１３Ｂを備えることで、支持部１２の長さ方向Ｌ１の両端側部分には、立ち上がった立上がり部１４を備えている。上記立上がり部１４は、床面Ｆに対して長手方向Ｌの外側から中央側へ例えば、１３０度〜１４０度（θ）程度反り返った立上がり形状で形成している。
【００４７】
さらに、支持部１２の長手方向Ｌの両側に備えた立上がり部１４は、それぞれ直線形状で形成し、一方の立上がり部１４（例えば、図１（ｂ）中の右側の立上がり部１４）を、長尺状立上がり部１４Ｌで形成するとともに、他方の立上がり部１４（例えば、図１（ｂ）中の左側の立上がり部１４）を、上記長尺状立上がり部１４Ｌよりも短い短尺状立上がり部１４Ｓで形成している。  
なお、目安として、上記長尺状立上がり部１４Ｌは、上記短尺状立上がり部１４Ｓの長さに対して、約１．６倍程度の長さで形成している。
【００４８】
また、一対の支持フレーム１２Ｆ，１２Ｆのそれぞれは、オットマン１０を正面視したとき、図１（ａ）に示すように、該一対の支持フレーム１２Ｆ，１２Ｆ同士の上部側の間隔が下部側の間隔と比較して幅小になるよう例えば、１１度程度（θ）、傾けて構成している。
【００４９】
このように、一対の支持フレーム１２Ｆ，１２Ｆを、互いの間隔が下部側と比較して上部側が幅小になるよう傾けて構成することにより、横方向へ作用する負荷に対して支持フレーム１２Ｆにより突っ張った状態で床面Ｆに接地することができ、例えば、一対の支持フレーム１２Ｆ，１２Ｆを、下部同士の間隔で真直ぐに起立させた形態で形成した場合よりも、より一層、オットマン１０が横転し難い構成で構成することができる。  
これは、仮にオットマン１０が横転する際には、幅方向Ｗのいずれか一方の支持フレームＦが、その下端部が回転支点となり回動する際に、該オットマン１０の重心が持ち上がらない限り横転することがない構造となるからである。
【００５０】
続いて、上記脚載せ部１１について説明する。上記脚載せ部１１は、板状に構成し、基板１６とクッション部１７とを一体に構成している。基板１６は、脚載せ部１１の底部に備え、例えば、合板などの硬質な板状部材で形成している。クッション部１７は、例えば、綿や発泡ウレタンなどの柔軟なクッション材を内部に備え、該クッション材をクッションカバーで被覆して形成し、基板１６の上側に備えている。クッション部１７の上面は、平坦状であり、脚を載置可能な載置面１１Ａを構成している。
【００５１】
さらに、上記脚載せ部１１は、長尺状脚載せ部１１Ｌと、該長尺状脚載せ部１１Ｌよりも短い短尺状脚載せ部１１Ｓとで構成している。  
長尺状脚載せ部１１Ｌと短尺状脚載せ部１１Ｓとは、いずれも同じ幅（幅方向Ｗの長さ）で形成しているが、長さについては、長尺状脚載せ部１１Ｌは、脚のふくらはぎ部分１０１を載置可能に例えば、４００ｍｍの長さで形成し、短尺状脚載せ部１１Ｓは、脚の踵部分や足裏部分を載置可能に例えば、３００ｍｍの長さで形成している。
【００５２】
上記長尺状脚載せ部１１Ｌは、上記長尺状立上がり部１４Ｌの上端部により下側中央から支持され、上記短尺状脚載せ部１１Ｓは、上記短尺状立上がり部１４Ｓの上端部により下側中央から支持されている。  
詳しくは、上記長尺状脚載せ部１１Ｌ、及び、上記短尺状立上がり部１４Ｓは、いずれも取付板２２を介して支持部１２に一体に取り付けている。  
支持部１２の立上がり部１４の上端部と取付板２２とは、溶着により一体に取り付けている。一方、上記脚載せ部１１の基材と取付板２２とは、複数のネジ２３により強固に取り付けている。
【００５３】
長尺状脚載せ部１１Ｌと短尺状脚載せ部１１Ｓとは、それぞれ長尺状脚載せ部１１Ｌにふくらはぎ部分１０１を載置したとき、短尺状脚載せ部１１Ｓに、足裏部分を載置可能な側面視略Ｖの字形状になるよう、支持部１２に取り付けられている。
【００５４】
すなわち、長尺状脚載せ部１１Ｌと短尺状脚載せ部１１Ｓとは、長手方向Ｌの中央側において、互いの端部同士が接触し、該長尺状脚載せ部１１Ｌと該短尺状脚載せ部１１Ｓとのなす角が例えば、９０度になる傾斜姿勢でそれぞれ支持部１２に取り付けられている（図１（ｂ）参照）。
【００５５】
以下では、上述した構成のオットマン１０の一実施例について図３から図７を用いて説明する。  
図３は、上述したとおり、椅子Ｃに着席した使用者が脚をオットマン１０に載せた状態のオットマン１０の使用状態の一例を示す図であり、図４は、椅子Ｃの背凭れ部Ｂを略水平になるまで倒して使用者が仰臥した状態におけるオットマン１０の使用状態を示す説明図であり、オットマン１０の有する部分を一部拡大して示している。図５は、図３に示した状態から図４に示した状態へ変更する際のオットマン１０の作用説明図である。図６は、使用者が着席した状態において図３とは異なる位置、姿勢でオットマン１０に脚を載せた状態のオットマン１０の使用状態の一例を示す説明図であり、オットマン１０の有する部分を一部拡大して示している。図７は、図３に示した状態から図６に示した状態へ変更する際のオットマン１０の作用説明図である。
【００５６】
使用者は、図３に示すように、椅子Ｃの前方にオットマン１０に接地する。本実施例においては、オットマン１０は、長手方向ＬＬにおける長尺状脚載せ部１１Ｌの側が椅子Ｃと対向する向きに接地する。
【００５７】
なお、オットマン１０は、長尺状脚載せ部１１Ｌや短尺状脚載せ部１１Ｓに何も負荷をかけず、単に床面Ｆに置いた状態においては、図１（ａ），（ｂ）に示すような姿勢で床面Ｆに接地することができる。
【００５８】
そして、使用者は、図３に示すように例えば、読書などに適した椅子Ｃの背凭れ部Ｂを少し倒した姿勢で着席した場合に、オットマン１０に脚を載せ、該オットマン１０を上述したように単に床面Ｆに置いたときの姿勢と略近い姿勢のまま用いることができる。
【００５９】
詳しくは、使用者は、脚のふくらはぎ部分１０１をオットマン１０の長尺状脚載せ部１１Ｌに載置し、足裏部分１０２を短尺状脚載せ部１１Ｓに載置する。  
これにより、使用者の足裏部分１０２の接地位置を床面Ｆよりを少し高い位置に保つことができるとともに、膝部分を少し伸ばした楽な姿勢に保つことができる。
【００６０】
さらに、脚を長尺状脚載せ部１１Ｌと短尺状脚載せ部１１Ｓとの双方で支持することにより、負荷を分散させることができる。
【００６１】
よって、使用者の脚の血の循環が低下せず、疲労や、むくみが発生し難いリラックスした状態で着席することができる。
【００６２】
さらにまた、図１（ａ），（ｂ）に示すような姿勢でおくことで、オットマン１０は、上述した状態において、緩やかに湾曲した中央弧形状部１３Ａが床面Ｆに接地されるため、使用者は、足首などの軽い屈伸動作を繰り返すことで、オットマン１０を緩やかに揺動させながら脚を載置することができる。これにより、使用者は、常に同じ着座姿勢で脚を載せ続けた場合のように疲労感を感じることがなく快適に着席することができる。
【００６３】
また他の実施例として、図４に示すように、使用者は、椅子Ｃの背凭れ部Ｂを水平に倒して、仰臥した状態において、図４の一部拡大図に示すように、使用者の脚は、伸ばした姿勢となるが、このとき、ふくらはぎ部分１０１から、かかと部分１０３にかけて全体を長尺状脚載せ部１１Ｌにより下側からしっかりと支持することができる。
【００６４】
よって、使用者は、脚の一部分に局所的に負荷がかかることがなく、快適に、且つ、安定して脚の体重を長尺状脚載せ部１１Ｌにあずけることができる。
【００６５】
さらに、オットマン１０は、傾いた姿勢であっても、ふくらはぎ部分１０１全体を長尺状脚載せ部１１Ｌにより水平な状態で下側から支えることができるため、安定した状態を保つことができる。
【００６６】
続いて、脚の姿勢変更として、図３に示すように脚の膝部を曲げた姿勢から図４に示すように脚の膝部を伸ばした姿勢へ変更する際に奏するオットマン１０の作用、効果について図５を用いて説明する。
【００６７】
なお、図５中の仮想線で示したオットマン１０、及び、仮想線で示した脚は、図３に示したオットマン１０、及び、脚と同じ姿勢のものである。図５中の実線で示したオットマン１０、及び、実線で示した脚は、図４に示した状態におけるオットマン１０、及び、脚と同じ姿勢のものである。
【００６８】
図３に示した状態から例えば、足裏部分１０２で短尺状脚載せ部１１Ｓを前方（椅子Ｃと離間する方向）へ押すことで、長尺状脚載せ部１１Ｌ、及び、短尺状脚載せ部１１Ｓに使用者からの載荷重が付与され、オットマン１０を前方へスライドさせることができる。  
ここで、中央弧形状部１３Ａは、緩やかに湾曲しているため、オットマン１０は、中央弧形状部１３Ａの所定部位が床面Ｆに対して点接触した状態で接地されている（図５中の仮想線で示した中央弧形状部１３Ａ参照）。このため、面接触状態で接地している場合と比較して床面Ｆからの摩擦を低減することができ、前方へ軽く押すだけで、スムーズにスライドさせることができる。
【００６９】
オットマン１０は、スライドしながら中央弧形状部１３Ａが床面Ｆを転がり、該中央弧形状部１３Ａの円弧形状に従って、緩やかに時計回りに傾いていく。やがて外側弧形状部１３Ｂが床面Ｆに接地され、床面Ｆに沿って転がると、該外側弧形状部１３Ｂは、小さな曲率半径ｒ（大きな曲率（１／ｒ））で形成しているため、オットマン１０は、一気に時計回りに傾き、脚の膝部を完全に伸ばしたとき、図５に示すように、長尺状脚載せ部１１Ｌが略水平な姿勢になるよう変更することができる。
【００７０】
このように、長尺状脚載せ部１１Ｌ、及び、短尺状脚載せ部１１Ｓに付与される載荷重に基いて上記接地部分１５（長尺状脚載せ部１１Ｌ、及び、短尺状脚載せ部１１Ｓ）の弧形状方向Ｌ１に沿って床面Ｆに接地する接地箇所１５Ａが移動することになる。
【００７１】
以上により、オットマン１０は、図４に示した姿勢となり、長尺状脚載せ部１１Ｌで使用者のふくらはぎ部分１０１から、かかと部分１０３まで全体を下側から支持することができる。
【００７２】
また、使用者は、図６に示したような姿勢で着座することもできる。すなわち、使用者は、オットマン１０を、図３よりも、椅子Ｃの近くへ引き寄せた位置で図１に示した姿勢に対して反時計回りに傾けた姿勢で床面Ｆに接地し、このようなオットマン１０に脚を載せることができる。
【００７３】
詳しくは、使用者は、略水平となった短尺状脚載せ部１１Ｓに足裏部分１０２を載置し、長尺状脚載せ部１１Ｌにふくらはぎ部分１０１を当接させた状態となる。脚の膝部が略９０度程度になるまで屈曲し、図３に示した姿勢よりも足裏部分１０２を短尺状脚載せ部１１Ｓに体重をかけた状態で載せることができるため、椅子Ｃに長時間着席しても、椅子Ｃから身体がズレ落ちることなくリラックスして着席することができる。
【００７４】
さらに、オットマン１０は、図６に示すように、支持部１２が傾いて重心が高くなった姿勢となっているが、長尺状脚載せ部１１Ｌと短尺状脚載せ部１１Ｓとの双方で脚を保持することができるため、不測にガタついたり、スライドしてしまうことなく、その傾いた姿勢のまま、安定した状態に保つことができる。
【００７５】
続いて、脚の姿勢変更として、図３に示すように脚の膝部を曲げた姿勢から図６に示すように脚の膝部を立てた姿勢へ変更する際に奏するオットマン１０の作用、効果について図７を用いて説明する。
【００７６】
なお、図７中の仮想線で示したオットマン１０、及び、仮想線で示した脚は、図３に示したオットマン１０、及び、脚と同じ姿勢のものである。図７中の実線で示したオットマン１０、及び、実線で示した脚は、図６に示したオットマン１０、及び、脚と同じ姿勢のものである。
【００７７】
図３に示した状態から、脚の例えば、かかと部分１０３とふくらはぎ部分１０１で長尺状脚載せ部１１Ｌを手前側に引き寄せることにより、長尺状脚載せ部１１Ｌ、及び、短尺状脚載せ部１１Ｓに使用者からの載荷重が付与され、中央弧形状部１３Ａは転がりながら手前側へスライドさせることができる。
【００７８】
このとき、オットマン１０は、中央弧形状部１３Ａの円弧形状に従って、緩やかに反時計回りに傾いていく。
【００７９】
そして上述したように、中央弧形状部１３Ａが床面Ｆに沿って転がると、やがて外側弧形状部１３Ｂが床面Ｆに接地され、床面Ｆに沿って転がることになる。該外側弧形状部１３Ｂは、小さな曲率半径ｒ（大きな曲率（１／ｒ））で形成しているため、オットマン１０は、反時計回りに一気に傾き、図６に示すような姿勢へと変更され、使用者は、オットマン１０の膝部が略９０度まで屈曲した姿勢で脚を載せることができる。
【００８０】
このように、長尺状脚載せ部１１Ｌ、及び、短尺状脚載せ部１１Ｓに付与される載荷重に基いて上記接地部分１５（長尺状脚載せ部１１Ｌ、及び、短尺状脚載せ部１１Ｓ）の弧形状方向Ｌ１に沿って床面Ｆに接地する接地箇所１５Ａが移動することになる。
【００８１】
なお、上述した実施例では、図３に示した姿勢から図６に示した姿勢へ変更する実施例について図７を用いて説明したが、一気に図４に示した姿勢から図６に示した姿勢へ変更することも可能である。
【００８２】
以上詳述したように、オットマン１０は、使用者が、椅子Ｃの背凭れ部Ｂ分に凭れた状態で着席したまま、例えば、膝部や足首の関節を動かすなどして脚の姿勢を変更するだけで、その動作に従って、所望の高さや姿勢に変更され、脚を支えることができる。
【００８３】
このため、使用者は、例えば、座席に座っている状態から上半身を起こし、オットマン１０自体を反転したり、横転させたりすることや、手で脚載せ部１１の姿勢を変更するといった、姿勢変更する際の煩わしさがなく、手軽に姿勢変更することが可能となり、常に快適な状態で用いることができる。
【００８４】
さらに、オットマン１０は、駆動源や該駆動源を用いて脚載せ部の姿勢変更を行なうための複雑な機構を備えて構成していないため、故障し難く、メンテナンスを行う手間が不要であり、コストも低減することができるため、広く普及を図ることができる。
【００８５】
また、弧形状部１３を、大きな曲率半径Ｒの中央弧形状部１３Ａと、小さな曲率半径ｒの外側弧形状部１３Ｂとで構成し、支持部１２の長さ方向Ｌ１において中央弧形状部１３Ａの両外側に外側弧形状部１３Ｂを連続的に構成することで、支持部１２が床面を転がったとき中央弧形状部１３Ａと外側弧形状部１３Ｂとの間での床面に対する接地箇所１５Ａのスムーズな移動が可能となる。
【００８６】
よって、力のない子供や老人、女性であっても、椅子に着席したままでもスムーズ、且つ、容易にオットマン１０の姿勢変更を行うことができる。
【００８７】
さらにまた、長尺状脚載せ部１１Ｌと短尺状脚載せ部１１Ｓは、互いの相対角度が略９０°になるよう構成しているため、椅子Ｃに着席したとき、ふくらはぎ部分１０１と足裏部分１０２の双方を、脚載せ部１１にフィットさせることができ、快適な使用状態を確保することができるとともに、脚を用いたオットマン１０のよりスムーズな姿勢変更を実現することができる。
【００８８】
また、オットマン１０は、上述した一実施例に限らず、多くの実施例で用いることができる。
【００８９】
例えば、上述した実施例では、使用者が椅子Ｃに着席する際の姿勢を変更するに従って、脚を載せ易い姿勢にオットマン１０の姿勢に変更して使用する実施例について説明したが、この実施例に限らず、椅子Ｃは、背凭れの角度や座部の高さを一定に保った状態で、オットマン１０の位置、姿勢のみを変更して用いていもよい。
【００９０】
また、使用者は、オットマン１０を椅子Ｃに着席した状態でのみ用いる限らず、ソファーに着席した状態やベッドに仰臥した状態で用いてもよい。
【００９１】
さらにまた、オットマン１０は、該オットマン１０の長手方向Ｌの長尺状脚載せ部１１Ｌ側が椅子Ｃに対向するよう椅子Ｃの前方に接地するに限らず、短尺状脚載せ部１１Ｓ側が椅子Ｃに対向するよう椅子Ｃの前方に接地して用いることができる。この場合、使用者が子供や女性、老人など、性別、年齢、体格などに応じて例えば、短尺状脚載せ部１１Ｓにふくらはぎ部分１０１を載置し、長尺状脚載せ部１１Ｌに足裏部分１０２を載置して用いることができる。
【００９２】
また、オットマン１０は、該オットマン１０の幅方向Ｗにおいて椅子Ｃと対向するよう、平面視９０度回転した姿勢で使用してもよい。  
また、この発明は、上述した実施形態の形態に限定せず、その他にも多くの形態で構成することができる。  
例えば、本発明のオットマン１０は、脚載せ部１１を、長尺状脚載せ部１１Ｌと短尺状脚載せ部１１Ｓとで構成するに限らず、２つの脚載せ部１１の双方ともに、長尺状脚載せ部１１Ｌ、或いは、短尺状脚載せ部１１Ｓで構成してもよい。
【００９３】
また、発明のオットマン１０は、図８（ａ）に示すように、１つの脚載せ部３１を備え、該脚載せ部３１を、支持部３２の長さ方向Ｌ１の各側に有する２つの立上がり部１４，１４で下側から支持した構成で構成することができる。さらに、図８（ａ）に示す構成の場合、２つの立上がり部１４は、同じ長さで形成し、脚載せ部３１の上面は、平坦な載置面３１Ａで構成している。
【００９４】
上記構成によれば、１つの脚載せ部３１を、２つの立上がり部１４，１４で支持する構造であるため、強度が高く、且つ、広い載置面３１Ａを確保することができる。
【００９５】
また、発明のオットマン１０は、図８（ｂ）に示すように、支持部４２の中央弧形状部１３Ａの中央部分から支柱４３を立設し、該支柱４３の上端部に長尺状脚載せ部４１Ｌ、及び、短尺状脚載せ部４１Ｓを備えた構成であってもよい。
【００９６】
上記構成により、長尺状脚載せ部４１Ｌと短尺状脚載せ部４１Ｓとを一体に構成した部材の重心に対して下側から支柱４３により支持できるため、長尺状脚載せ部４１Ｌ、及び、短尺状脚載せ部４１Ｓをしっかりと支持することができる。
【００９７】
さらにまた、発明のオットマン１０は、図８（ｃ）に示すように、支持部１２は、側面視閉環形状に構成してもよい。詳しくは、支持部１２は、床面Ｆに有する側へ突出する湾曲形状で形成したフレームの長手方向の両端部分に、水平フレームを一体に連結した構成で構成している。
【００９８】
このように支持部１２を閉環状に構成することで、強度を向上させることができる。
【００９９】
その他にも、上記脚載せ部１１は、板状に構成するに限らず、一対の支持フレーム１２Ｆ，１２Ｆの幅方向Ｗにおける間を横架するフレーム構造であってもよい。
【０１００】
さらにまた、弧形状部１３は、中央弧形状部１３Ａ、及び、外側弧形状部１３Ｂとで構成するに限らず、外側弧形状部１３Ｂのみで構成してもよい。すなわち、支持部１２は、中央弧形状部１３Ａに相当する部分を直線状に形成し、外側弧形状部１３Ｂのみを備えた構成であってもよい。
【０１０１】
上述した実施形態と、この発明の構成との対応において、
長尺状脚載せ部１１Ｌは、第一脚載せ部に対応し、
短尺状脚載せ部１１Ｓは、第二脚載せ部に対応し、
長尺状立上がり部１４Ａは、上記支持部の長さ方向の一方の側の上記立上がり部に対応し、
短尺状立上がり部１４Ｂは、上記支持部の長さ方向の他方の側の上記立上がり部に対応し、
床面Ｆは、設置面に対応するも、
この発明は、上述の実施形態の構成のみに限定されるものではなく、多くの実施の形態を得ることができる。
【図面の簡単な説明】
【０１０２】
【図１】オットマンの正面図、及び、右側面図。
【図２】オットマンの平面図、及び、底面図。
【図３】使用者が脚を曲げた状態でのオットマンの使用状態図。
【図４】使用者が脚を伸ばした状態でのオットマンの使用状態図。
【図５】オットマンの作用説明図。
【図６】図１とは異なる姿勢で使用者が脚を曲げた状態でのオットマンの使用状態図。
【図７】オットマンの作用説明図。
【図８】他の実施形態におけるオットマンを示す説明図。
【符号の説明】
【０１０３】
１０，３０，４０，５０…オットマン
１１，３１，４１，５１…脚載せ部
１１Ｌ，４１Ｌ，５１Ｌ…長尺状脚載せ部
１１Ｓ，４１Ｓ，５１Ｓ…短尺状脚載せ部
１２，３２，４２，５２…支持部
１３…弧形状部
１３Ａ…中央弧形状部
１３Ｂ…外側弧形状部
１４…立上がり部
１５…接地部分
１５Ａ…接地箇所
【図１】
2010057853.tif 000003
【図２】
2010057853.tif 000004
【図３】
2010057853.tif 000005
【図４】
2010057853.tif 000006
【図５】
2010057853.tif 000007
【図６】
2010057853.tif 000008
【図７】
2010057853.tif 000009
【図８】
2010057853.tif 000010